(57)【要約】【課題】通気性とクッション性に優れ、軽量で使い勝手がよく、洗濯可能な携帯用多機能枕を提供する。【解決手段】表面にハニカムメッシュを有するダブルラッセル布からなる筒状のカバーと、カバーの内部に挿入され、糸状のポリエチレン繊維を３次元状に絡み合わせてなるクッション材と、カバーの左右両端に設けられる閉じ紐と、カバーの長手方向に一定間隔で設けられ、円周上に結い付けられて、カバーとクッション材を締め付けて窪みを形成するリボンと、が備えられ、棒状から円形に変形して使用される。【選択図】図６
2017023160.tif 000002
【特許請求の範囲】
【請求項１】
表面にハニカムメッシュを有するダブルラッセル布からなる筒状のカバーと、
前記カバーの内部に挿入され、糸状のポリエチレン繊維を３次元状に絡み合わせてなるクッション材と、
前記カバーの左右両端に設けられる閉じ紐と、
前記カバーの長手方向に一定間隔で設けられ、円周上に結い付けられて、前記カバーと前記クッション材を締め付けて窪みを形成するリボンと、が備えられ、
棒状から円形に変形して使用されることを特徴とする携帯用多機能枕。
【請求項２】
前記クッション材が、節と肥大部からなり、前記リボンが前記カバーの上から節の部分に掛け渡されることを特徴とする請求項１に記載の携帯用多機能枕。
【請求項３】
取り替え可能なオーバーカバーが、さらに備えられることを特徴とする請求項１に記載の携帯用多機能枕。
【請求項４】
前記クッション材が、複数の球体からなり、前記リボンが前記カバーの上から前記球体と球体の間に掛け渡されることを特徴とする請求項１に記載の携帯用多機能枕。
【発明の詳細な説明】
【技術分野】
【０００１】
本発明は、携帯用多機能枕に係り、より詳しくは、通気性とクッション性に優れ、軽量で使い勝手がよい携帯用多機能枕に関する。
【背景技術】
【０００２】
特許文献１には、両端に調整紐が設けられ、棒状の形態から円形に変形できる多機能まくらが示される。この枕は、例えば旅行時に携帯し、乗り物の座席に着席した時、頭や腰に当てたり、首に巻いたり、足首に付けるなど色々な使い方ができる。この枕のカバーは、変形させた場合の長手方向に伸縮できるように、二枚の縦目布を縫い合わせ、生地を斜め方向（バイヤス）に裁断し、筒状に裁縫し、内部に充填材を入れている。一般に充填材は、柔らかい樹脂製パイプを裁断したビーズが使用される。しかしながら、ビーズは通気性やクッション性が満足ゆくものではない。また、ビーズは個々にばらばらなので、枕を曲げるなどの変形が容易であるが、枕の形が崩れやすい。
【０００３】
一般に、携帯用多機能枕は様々な場所へ持ち歩くため、汚れや汗が付きやすく、手軽に洗って清潔にしたいというユーザの要望が強い。また、ファッション性や季節性に合わせたデザインに簡易に着せ替えが可能であることも望まれる。さらに、水に強くて、ビーチ、プールサイド、ボート、スパ等で使用できることが望まれる。これまでになく軽量で、山やキャンプ、バックパッカーの旅に使用しやすいことが望まれる。
【先行技術文献】
【特許文献】
【０００４】
【特許文献１】特開２００２−９５５７０号公報
【発明の概要】
【発明が解決しようとする課題】
【０００５】
本発明の目的は、通気性とクッション性に優れ、軽量で使い勝手がよく、洗濯可能な携帯用多機能枕を提供することにある。
【課題を解決するための手段】
【０００６】
本発明による一形態である携帯用多機能枕は、表面にハニカムメッシュを有するダブルラッセル布からなる筒状のカバーと、前記カバーの内部に挿入され、糸状のポリエチレン樹脂の繊維を３次元状に絡み合わせてなるクッション材と、前記カバーの左右両端に設けられる閉じ紐と、前記カバーの長手方向に一定間隔で設けられ、円周上に結い付けられて、前記カバーと前記クッション材を締め付けて窪みを形成するリボンと、が備えられ、棒状から円形に変形して使用されることを特徴とする。
【０００７】
前記クッション材が、節と肥大部からなり、前記リボンが前記カバーの上から節の部分に掛け渡されることを特徴とする。
【０００８】
取り替え可能なオーバーカバーが、さらに備えられることを特徴とする。
【０００９】
前記クッション材が、複数の球体からなり、前記リボンが前記カバーの上から前記球体と球体の間に掛け渡されることを特徴とする。
【発明の効果】
【００１０】
本発明による請求項１に記載の携帯用多機能枕によれば、（１）クッション材に、糸状のポリエチレン繊維を３次元状に絡み合わせたクッションを使用したので、高反発力が得られる。すなわちビーズのように型崩れすることがなくクッション性が向上できる。また、隙間が多く通気性がよい。（２）さらに軽くできる。ビーズに比べて格段に軽量である。（３）カバーにダブルラッセル布を使用したので、表面のハニカムメッシュにより通気性がさらに向上できる。カバーが汗ばんだりせず、良質な眠りが得られる。（４）また、棒状のままでも、ヘッドレストや首に巻き付けても使用できる。車に持ち込む場合、シートベルトに棒状に取り付けるなら、頭が斜めに支えられるので、頭が落ちないで寝ることができる。ヘッドレストの下部に巻き付けるなら、後頭部を支えることができる。（５）カバーの長手方向に一定間隔で、円周上に結い付けられるリボンを設けたので、カバーとクッション材を締め付けて窪みが形成でき、棒状から円形に曲げやすくできる。（６）クッション材がポリエチレン樹脂の繊維からなるので、そのまま洗濯でき、すぐ乾き、清潔感を保つことができる。
【００１１】
請求項２によれば、クッション材が、節の部分と肥大部からなるレンコンのような材形状としたので、リボンをカバーの上から節の部分に掛け渡して絞り込むことができ、携帯用多機能枕を円形に曲げやすくできる。
【００１２】
請求項３によれば、取り替え可能なオーバーカバーを備えたので、ファッション性や季節性に合わせたデザインのカバーが提供でき、簡易に着せ替えが可能になる。
【００１３】
請求項４によれば、クッション材が複数の球体で構成されるので、数珠のように構成でき、携帯用多機能枕を円形に曲げやすくできる。
【図面の簡単な説明】
【００１４】
【図１】本発明による一形態を示す携帯用多機能枕の斜視図である。
【図２】図１の携帯用多機能枕に使用され、棒状に形成したクッション材の斜視図である。
【図３】図１の携帯用多機能枕に使用され、節と肥大部を形成したクッション材の斜視図である。
【図４】図１の携帯用多機能枕にカバーとして使用されるダブルラッセル布の説明図である。
【図５】図１の携帯用多機能枕を変形させた例で、（Ａ）は首に巻き付けた場合、（Ｂ）は円形に丸めた場合、（ｃ）は座布団クッションにした場合を示す。
【図６】図１の携帯用多機能枕をオーバーカバーで覆った斜視図である。
【図７】図１の携帯用多機能枕の使用例で、（Ａ）はうつぶせ寝の枕にする場合、（Ｂ）はシートベルトに取り付けた場合、（Ｃ）は座席のヘッドレストに取り付けた場合を示す。
【図８】図１で、クッション材を複数の球体で構成した場合の携帯用多機能枕の斜視図である。
【発明を実施するための形態】
【００１５】
以下、図面を参照して、本発明による携帯用多機能枕を詳しく説明する。
【実施例】
【００１６】
図１は、本発明による一形態を示す携帯用多機能枕１００の斜視図である。携帯用多機能枕１００は、筒状のカバー１で覆われ、左右両側から閉じ紐２が引き出される。内部にはクッション材３が設けられる。これに限るものではないが、携帯用多機能枕１００は、長さが５０〜８０ｃｍ、径が６〜１０ｃｍとできる。所定の間隔で複数のリボン４を設け、締め付けて窪みを付けたので、曲げて首に巻き付けやすい。
【００１７】
図２は、図１の携帯用多機能枕１００に使用され、棒状に形成したクッション材３の斜視図である。クッション材３は、断面が円形、棒状で長さ方向に長い。
【００１８】
クッション材３は、糸状のポリエチレン繊維を３次元状に絡み合わせたものである。繊維は中実のものを使用した。中空の繊維としてもよい。クッション材３は、スポンジのように弾力があり、高反発力があるので元の形に戻る。携帯用多機能枕１００の側面にイヤホンの取り付け溝（図示せず）が設けられてもよい。ポリエチレンは、容器やフィルムに多用されており、繊維への加工が容易である。比重は０．９２なので水に浮く。水に強いので、容易に洗うことができる。なお、クッション材３の素材は、ポリエチレンに限らず、同様の形状とクッション性、洗濯可能性が得られるなら、ポリエステルやその他の素材を使用してもよい。
【００１９】
図３は、図１の携帯用多機能枕１００に使用され、節５と肥大部６を形成したクッション材３の斜視図である。図３のクッション材３は、レンコンの地下茎のように径の細い節５の部分と、径の大きな肥大部６からなる。リボン４は、カバー１の上から節５の部分に掛け渡される。これによれば、カバー１が絞りまれ、節５の部分で曲げやすくできる。図３では、肥大部６が全部で３個としたが、これに限るものではなく、６〜１２個程度に増やしてもよい。
【００２０】
図４は、図１の携帯用多機能枕１００にカバー１として使用されるダブルラッセル布の説明図である。引出し円の中に示すように、ダブルラッセル布は、表面がハニカムメッシュに編まれたもので、二重なので弾力がある。素材は、例えばポリエステルが使用できる。厚さは、色々な厚みとすることができて、通気性に優れ、軽量でクッション性がある。
【００２１】
図５は、図１の携帯用多機能枕１００を変形させた例で、（Ａ）は首に巻き付けた場合、（Ｂ）は円形に丸めた場合、（ｃ）は座布団クッションにした場合を示す。左右両端の閉じ紐２は、クッション材３がまっすぐな棒状に戻ろうとする力が働くので、互いに結んでおくためのものである。（Ａ）に示すように首に巻き付けた場合、長時間の飛行機に乗る際に、良好に首を支えることができる。（Ｂ）に示すように、円形に丸めた携帯用多機能枕１００は、新幹線の座席に着座したような場合、テーブル上に置いて顔を支えることができる。（Ｃ）に示すように座布団クッションにした場合は、座席の着座部に置いて、尻に敷くことができる。なお、図には示さないが、棒状の携帯用多機能枕１００を２本並べて、閉じ紐２で連結すれば、シート状のクッションにもできる。また、小さいサイズの枕なら、手首に巻いて、椅子に座って机にうつ伏せ寝する際の手枕の補助枕にできる。
【００２２】
図６は、図１の携帯用多機能枕１００をオーバーカバー２０で覆った斜視図である。オーバーカバー２０は、ファッション性や季節性に合わせたデザインのカバーが提供でき、簡易に着せ替えが可能になる。オーバーカバー２０には、両端に開口部を閉じるバンドを設け、互いに連結することができる。オーバーカバー２０は、吸汗速乾、接触冷感、静電防止、温熱素材などを組み合わせ、抗菌、防臭、美肌効果を有する機能性繊維とすることができる。また、形状は、図６に限らず、動物型や乗り物型を模したものや、企業のロゴ等を入れたもの等、多様なデザインにできる。
【００２３】
図７は、図１の携帯用多機能枕１００の使用例で、（Ａ）はうつぶせ寝の枕にする場合、（Ｂ）はシートベルトに取り付けた場合、（Ｃ）は座席のヘッドレストに取り付けた場合を示す。（Ａ）によれば、ドーナツ形状にできるので、机やテーブルの上に携帯用多機能枕１００を置き、うつぶせ寝ができる。飛行機でのうつぶせ寝にも使用できる。災害時の非常時に携帯して使用することもできる。（Ｂ）によれば、携帯用多機能枕１００をシートベルトの上に取り付けることにより、頭と顔を斜めに傾けた状態で支えることができる。（Ｃ）によれば、携帯用多機能枕１００を車の助手席のヘッドレストに取り付けることで、着座者の後頭部をやわらかく支えることができる。図７では、いずれもオーバーカバー２０なしで図示した。
【００２４】
図８は、図１でクッション材３を複数の球体で構成した場合の携帯用多機能枕１００の斜視図である。クッション材３は、引出し円の中に示すように球体１０とした。これにより数珠状に形成できる。そのためクッション材３がやや硬めであっても、携帯用多機能枕１００を首に巻き付けることが容易である。図８では、球体１０は全て同じ形状のものとしたが、例えば下側の箇所のものは大きな球体にすることもできる。
【００２５】
なお、閉じ紐２は、ホックが設けられてもよい。これによれば閉じ紐を結ぶ手間が省ける。閉じ紐によらず、ベルトとバックルでもよい。また、面ファスナーを使用してもよい。閉じ紐２は、図１では、カバー１の両端に設けたが、クッション材３の内部を貫通するように設けてもよい。その場合は、カバー１への負担が少ない。
【産業上の利用可能性】
【００２６】
本発明によれば、通気性とクッション性に優れ、軽量で使い勝手がよく、洗濯可能な携帯用多機能枕として好適である。
【符号の説明】
【００２７】
１    カバー
２    閉じ紐
３    クッション材
４    リボン
５    節
６    肥大部
１０    球体
２０    オーバーカバー
１００    携帯用多機能枕
【図１】
2017023160.tif 000003
【図２】
2017023160.tif 000004
【図３】
2017023160.tif 000005
【図４】
2017023160.tif 000006
【図５】
2017023160.tif 000007
【図６】
2017023160.tif 000008
【図７】
2017023160.tif 000009
【図８】
2017023160.tif 000010
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
表面にハニカムメッシュを有するダブルラッセル布からなる筒状のカバーと、
前記カバーの内部に挿入され、糸状のポリエチレン繊維を３次元状に絡み合わせてなるクッション材と、
前記カバーの左右両端に設けられる閉じ紐と、
前記カバーの長手方向に一定間隔で設けられ、円周上に結い付けられて、前記カバーと前記クッション材を締め付けて窪みを形成するリボンと、
が備えられ、
棒状から円形に変形して使用されると共に、前記クッション材が、節と肥大部からなり、前記リボンが前記カバーの上から節の部分に掛け渡されることを特徴とする携帯用多機能枕。
【請求項２】
取り替え可能なオーバーカバーが、さらに備えられることを特徴とする請求項１に記載の携帯用多機能枕。
【手続補正２】
【補正対象書類名】明細書
【補正対象項目名】０００６
【補正方法】変更
【補正の内容】
【０００６】
本発明による一形態である携帯用多機能枕は、表面にハニカムメッシュを有するダブルラッセル布からなる筒状のカバーと、前記カバーの内部に挿入され、糸状のポリエチレン繊維を３次元状に絡み合わせてなるクッション材と、前記カバーの左右両端に設けられる閉じ紐と、前記カバーの長手方向に一定間隔で設けられ、円周上に結い付けられて、前記カバーと前記クッション材を締め付けて窪みを形成するリボンと、が備えられ、棒状から円形に変形して使用されると共に、前記クッション材が、節と肥大部からなり、前記リボンが前記カバーの上から節の部分に掛け渡されることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】削除
【補正の内容】